(57)【要約】【課題】紙なべ料理や箔なべ料理に用いられる新規な鍋蓋において、コンパクトな積み重ねが可能であるとともに、蓋としての使用時にも支障のないようにする。【解決手段】紙なべ等に被せる蓋本体２１の上面に、可撓性を有しつつも保形力を有する線状体３２かなるつまみ３１が形成された鍋蓋１１。上記のつまみ３１は、線状体３２が上方に延びる起立状態になるように、蓋本体２１の上面に形成された貫通孔に対して第１の結び目と第２の結び目３２ｂの形成により固定される。【選択図】図１
0003149347.tif 000002
【実用新案登録請求の範囲】
【請求項１】
鍋の容体に被せる蓋本体の上面に、可撓性を有しつつも保形力を有する線状体かなるつまみが形成され、
該つまみが起立状態である
鍋蓋。
【請求項２】
前記つまみが、蓋本体の上面に形成された貫通孔に線状体を挿通保持して構成された
請求項１に記載の鍋蓋。
【請求項３】
前記保持が、線状体に結び目を形成することで行われた
請求項２に記載の鍋蓋。
【請求項４】
前記線状体が、中空のゴム製又は合成樹脂製の管からなる
請求項１から請求項３のうちのいずれか一項に記載の鍋蓋。
【請求項５】
前記線状体の断面形状が円形である
請求項１から請求項４のうちのいずれか一項に記載の鍋蓋。
【考案の詳細な説明】
【技術分野】
【０００１】
この考案は、たとえば紙なべ料理や箔なべ料理で用いられる鍋蓋に関し、より詳しくは、取り扱いが容易であるような鍋蓋に関する。
【背景技術】
【０００２】
一般に、紙なべや箔なべでは蓋は使用されない。しかし、特に寒冷地では沸くのに時間がかかること、メニューが豊富になってきたことなどから、鍋蓋があると便利なときがある。
【０００３】
このため、下記特許文献１に開示されたような使い捨ての鍋蓋が提案された。この鍋蓋は、紙なべ用の鍋蓋であって、耐水性と非透水性を有する紙を円錐状に組み立てて形成するものである。すなわち、円形のシート材の一部を扇形に切除したような形状をなす展開状態の紙を、その一辺側に形成された係止片と、他辺側に形成されて上記の係止片が係止する切り込みとを相互に係止して円錐状に組み立てる。
【０００４】
展開状態の紙の中心部分には、突片が形成されており、この突片は、円錐状に組み立てられたときに円錐形状の頂点部分から斜め上に向けて若干延びるつまみ様の部分となる。
【特許文献１】特開２００４−３４４２９０号公報
【考案の開示】
【考案が解決しようとする課題】
【０００５】
しかし、上記のつまみ様の部分のすぐ下には隙間があるので、鍋が沸いたときにはその隙間から蒸気が出る。このため、鍋蓋を開けるのが困難である。
【０００６】
また、特許文献１に開示された鍋蓋は使い捨てであるので、無駄が多いという難点がある。
【０００７】
この点については、蓋本体をアルミ等の金属で形成して、再使用可能にすることで問題が解消されると考えられる。しかし、紙なべ等が使い捨てであるので、鍋蓋は単独で取り扱わねばならない。つまり、管理は鍋蓋だけで行わなければならないところ、蓋本体に対して通常行われているように熱硬化性樹脂等からなるつまみを形成した場合には、つまみにはある程度の大きさが必要であって、全体の中でのつまみの占める割合が比較的高くなってしまう。紙なべ等には直径が１５０ｍｍ程度のものからあり、そのような小型の鍋蓋では、つまみの占める割合が相当高くなる。そうすると、鍋蓋のみを単独で取り扱うときにつまみが邪魔になって積み重ねようとしても崩れやすく、また嵩張るので、取り扱いがしにくいという問題が生じる。
【０００８】
そこで、この考案は、取り扱いが容易であるような鍋蓋の提供を主たる目的とする。
【課題を解決するための手段】
【０００９】
そのための手段は、鍋の容体に被せる蓋本体の上面に、可撓性を有しつつも保形力を有する線状体かなるつまみが形成され、該つまみが起立状態である鍋蓋である。
【００１０】
上記の「起立状態」とは、線状体が鉛直上向きに立った状態のほか、斜めに立つ状態も含む意味である。また、上記の「線状体」とは、全体として線のように細長いものであることを指し、平紐や紙テープのような形態のものも含む意味である。
【００１１】
つまみは、線状体からなり、起立状態であるので、つまみ易い。そして、線状体は可撓性を有しつつも自身の形状を保持する性質であるので、力を掛けているときには容易に屈曲するが、力を掛けるのをやめれば即座に起立状態に復帰する。
【００１２】
このため、鍋蓋同士を積み重ねた場合は、下の鍋蓋のつまみが倒れてコンパクトに積み重ねができる。そして重なっていた上に鍋蓋を取り除けば、下の鍋蓋のつまみは元の起立状態に戻る。
【００１３】
なお、前記つまみは、蓋本体の上面に形成された貫通孔に線状体を挿通保持して構成することができる。挿通保持は、直接または間接的に行える。
【００１４】
線状体に結び目を形成することで前記保持を直接行えば、コストを低く抑えることができる上に、軽量化にも資する。
【００１５】
また、前記線状体は、中空のゴム製又は合成樹脂製の管からなるものであるとよい。中空構造によっても柔軟性が得られ、つまみの起立傾倒がより円滑に行える。
【００１６】
さらに、前記線状体の断面形状が円形であるとよい。つまみが傾倒するときに３６０度いずれの方向でも容易に倒れるからである。
【考案の効果】
【００１７】
以上のように、この考案によれば、つまみが可撓性を有しつつも保形力を有する線状体からなるので、鍋蓋同士を皿などのように積み重ねたときにつまみが容易に倒れ、コンパクトに積み重ねることができる。しかも、つまみが線状体からなるので、積み重ねたときに、上の鍋蓋との間に、倒伏したつまみが存在することになり、鍋蓋同士の密着を防ぐことができる。
【００１８】
また、上述のようにつまみが倒れて積み重ねを許容するので、つまみは長く形成しても積み重ねに支障はなく、つまみ易さを確保でき、鍋蓋としての使用時の取り扱いも便利である。
【００１９】
このように、鍋蓋は皿などを扱うのと同様に、容易に取り扱える。
【考案を実施するための最良の形態】
【００２０】
この考案を実施するための一形態を、以下図面を用いて説明する。  
図１は、紙なべ料理や箔なべ料理において用いられる鍋蓋１１の正面図、図２は鍋蓋１１の断面図である。これらの図に示したように鍋蓋１１は、略ドーム形をなす蓋本体２１と、この蓋本体２１の上面の中心に保持されたつまみ３１とからなる。
【００２１】
このような鍋蓋１１は、図３に示すように紙なべ４１に被せて使用される。紙なべ４１は、金属製の紙なべ受け具４２に入れて、コンロ４３の上に乗せられる。この例に示す紙なべ４１は、紙なべ受け具４２の形状と同じように、外周の立ち上がり部分に、放射状に延びる波型の湾曲４１ａを有するものである。
【００２２】
前記蓋本体２１は、紙なべ４１に被せられる形状であり、アルミやステンレス等の金属をプレス加工してなる。合成樹脂の成形品であるもよい。外周縁には、上記紙なべ４１の立ち上がり部の湾曲４１ａの形状に合わせて、平面視略三角形状をなし内外に出入りする連続した凹凸２２を有する。また、この凹凸２２に合わせて、複数本の凹条２３と凸条２４が放射状に形成されている。そして、上面の中心には、肉厚方向に貫通する貫通孔２５が形成されている。
【００２３】
前記つまみ３１は、可撓性を有しつつも保形力を有する断面円形の線状体３２で構成され、線状体３２が上方に延びる起立状態である。線状体３２には、中空のゴム製または合成樹脂製の管を使用でき、蓋本体２１の貫通孔２５に直接挿通保持して構成される。保持は、線状体３２に結び目を形成することで行う。具体的には、線状体３２の長さ方向の中間部に第１の結び目３２ａを形成して、蓋本体２１の下面から線状体３２の両端側部分を挿通するとともに、第１の結び目３２ａを貫通孔２５の下に当てた状態にして、貫通孔２５の上に第２の結び目３２ｂを形成すれば保持できる。
【００２４】
このように構成された鍋蓋１１では、図１に仮想線で示したように、起立状態のつまみ３１は、線状体３２の断面が円形であるので、負荷がかかれば３６０度いずれの方向にも容易に撓んで、傾倒可能であるとともに、負荷を除けば元の起立状態に弾性復帰する。
【００２５】
このため、常態においてつまみ３１は、図１に実線で示したように起立状態にあり、紙なべ４１が沸いても倒れたりするようなことはなく、常につまみ易い状態である。また、蓋本体２１の貫通孔２５は線状体３２で閉塞されているので、貫通孔２５を通って蒸気が漏れることもない。
【００２６】
そして、鍋蓋１１同士を積み重ねたときには、図４に示したように、蓋本体２１同士が凹条２３同士、凸条２４同士を対応させた状態で重なり、つまみ３１は、上述のように倒伏して、蓋本体２１の重なりを許容する。このとき、第１の結び目３２ａと第２の結び目３２ｂは適宜動いて、相互に重なるつまみ３１と蓋本体２１を安定させる。
【００２７】
このように鍋蓋１１同士は、よりコンパクトな状態で積み重ねることができる。そのうえ、積み重ね時には蓋本体２１同士の間に倒伏したつまみ３１が存在するので、蓋本体２１同士が密着することを防止でき、分離も円滑に行える。
【００２８】
また、積み重ね状態を解除すれば、つまみ３１は上述のとおり、その材料弾性により元の起立状態に即座に復帰し、容易につまめるようになる。
【００２９】
さらに、つまみ３１は線状体３２を結んで固定するので、他の部材は不要であり、きわめて廉価な製造が可能である。
【００３０】
このように、蓋としての使用時も、それ以外のときも取り扱い易い鍋蓋１１である。
【００３１】
以下、その他の例について説明する。この説明において、先の構成と同一又は同等の部位については同一の符号を付してその詳しい説明を省略する。
【００３２】
図５は、他の例に係る鍋蓋１１の要部を示す断面図であり、この図に示すように、つまみ３１は蓋本体２１に対して間接的に挿通保持して構成するもよい。すなわち、図５に示したつまみ３１は、線状体３２を上部に一体に保持した定着部材３５によって挿通保持されている。定着部材３５は合成樹脂製で、蓋本体２１の上面側に位置する本体部３５ａの下に、前記の貫通孔２５に挿入される挿入部３５ｂが一体形成された構造である。挿入部３５ｂは外周に張り出し弾性変位する複数の係止爪３５ｃを有し、挿入部３５ｂを蓋本体２１の上から圧入すると、これらの係止爪３５ｃが蓋本体２１の下面に係止して抜け止めされる。
【００３３】
このように構成した場合には、つまみの固定が簡単に行える。
【００３４】
図６は、他の例に係る鍋蓋１１の要部を示す断面図であり、この例では、つまみ３１は、蓋本体２１に対して直接的に挿通保持して構成される。すなわち、図６に示したつまみ３１は、中空構造でそれ自体弾性を有するゴムや合成樹脂かなる線状体３２と、この線状体３２の一端を蓋本体２１に固定する止め部材３６とで構成される。線状体３２は、蓋本体２１の貫通孔２５の内径よりも若干大径に形成されている。止め部材３６は、線状体３２の内部の孔３２ｃに嵌入される突起部３６ａと、蓋本体２１の下面に当たる板状部３６ｂとを有する。すなわち、線状体３２の一端が蓋本体２１の貫通孔２５に差し込まれ、この状態で、上記の止め部材３６の突起部３６ａを貫通孔２５内に収まる線状体３２の一端に嵌入する。すると、線状体３２の一端は、貫通孔２５と突起部３６ａとにより圧縮され、蓋本体２１に対する固定状態が保持される。
【００３５】
このように構成した場合にも、つまみ３１の固定が簡単に行える。
【００３６】
この考案の構成と、上記の構成との対応において、  
この考案の鍋の容体は、上記の紙なべ４１に対応し、  
以下同様に、  
結び目は、上記の第１の結び目３２ａ、第２の結び目３２ｃに対応するも、  
この考案は上記の構成のみに限定されるものではなく、その他の構成を採用することもできる。
【００３７】
たとえば、つまみを構成する線状体は、断面円形の線状体に限らず、断面形状が偏平なものなど適宜の形状であるもよい。中空構造ではなく中実のものであってもよい。蓋本体の形状も、必要に応じて適宜設定され得る。
【図面の簡単な説明】
【００３８】
【図１】正面図。
【図２】断面図。
【図３】使用状態の斜視図。
【図４】作用状態を示す断面図。
【図５】他の例に係る要部の断面図。
【図６】他の例に係る要部の断面図。
【符号の説明】
【００３９】
１１…鍋蓋
２１…蓋本体
２５…貫通孔
３１…つまみ
３２…線状体
３２ａ…第１の結び目
３２ｂ…第２の結び目
４１…紙なべ
【図１】
0003149347.tif 000003
【図２】
0003149347.tif 000004
【図３】
0003149347.tif 000005
【図４】
0003149347.tif 000006
【図５】
0003149347.tif 000007
【図６】
0003149347.tif 000008
【手続補正書】
【提出日】平成21年1月20日(2009.1.20)
【手続補正１】
【補正対象書類名】実用新案登録請求の範囲
【補正対象項目名】請求項１
【補正方法】変更
【補正の内容】
【請求項１】
鍋の容体に被せる蓋本体の上面に、可撓性を有しつつも保形力を有する線状体からなるつまみが形成され、
該つまみが起立状態である
鍋蓋。
【手続補正２】
【補正対象書類名】明細書
【補正対象項目名】０００９
【補正方法】変更
【補正の内容】
【０００９】
そのための手段は、鍋の容体に被せる蓋本体の上面に、可撓性を有しつつも保形力を有する線状体からなるつまみが形成され、該つまみが起立状態である鍋蓋である。